Podtech/llm-jp-corpus-v4-ja_patent huggingface dataset:
【手続補正書】
【提出日】平成18年8月14日(2006.8.14)
【手続補正１】
【補正対象書類名】特許請求の範囲
【補正対象項目名】全文
【補正方法】変更
【補正の内容】
【特許請求の範囲】
【請求項１】
（ａ）液体カプセル化材料を流量制限器に量り入れる工程と、
（ｂ）工程（ａ）と同時に前記流量制限器を通して、任意に加熱されるガス流を注入して（ｉ）前記液体カプセル化材料を霧化し、（ｉｉ）前記ガス流および前記霧化液体カプセル化材料の乱流をつくる工程と、
（ｃ）工程（ａ）および（ｂ）と同時に乱流領域に食品粒子を添加する工程とを含み、前記食品粒子が前記霧化液体カプセル化材料と混合されてカプセル化された食品粒子を提供することを特徴とする、食品粒子を液体カプセル化材料によりカプセル化する方法。
【請求項２】
請求項１に記載の方法により製造されたカプセル化食品粒子。
【手続補正２】
【補正対象書類名】明細書
【補正対象項目名】０１３７
【補正方法】変更
【補正の内容】
【０１３７】
コートされた粒子（０．７ｇ）を１Ｍ  ＨＣｌ（１５０ｍｌ）に入れることによりコーティング品質を求め、泡立ちの程度に関して観察を記録した。対照例の炭酸カルシウム（コートせず）は、即時かつ大幅な泡立ちを呈した。１回、２回および３回コートした試料（Ａ、Ｂ、Ｃ）は、あまり泡立ちが進行せず、試料Ｃの場合には泡立ちの開始が遅かった。
本発明は以下の実施の態様を含むものである。
１．（ａ）液体カプセル化材料を流量制限器に量り入れる工程と、（ｂ）工程（ａ）と同時に前記流量制限器を通して、任意に加熱されるガス流を注入して（ｉ）前記液体カプセル化材料を霧化し、（ｉｉ）前記ガス流および前記霧化液体カプセル化材料の乱流をつくる工程と、（ｃ）工程（ａ）および（ｂ）と同時に乱流領域に食品粒子を添加する工程とを含み、前記食品粒子が前記霧化液体カプセル化材料と混合されてカプセル化された食品粒子を提供することを特徴とする、食品粒子を液体カプセル化材料によりカプセル化する方法。
２．前記食品粒子が、コーヒー粉末（ｃｏｆｆｅｅ  ｇｒｏｕｎｄｓ）、フレーバー、食品成分、粉末乳製品、粉末スープ製品、粉末スナック食品、粉末飲料ミックス、粉末健康フィットネス・サプリメント、製菓材料（ｂａｋｉｎｇ  ｇｏｏｄｓ）および不活性食品添加物からなる群より選択されることを特徴とする前記１に記載の方法。
３．工程（ｃ）で添加された前記食品粒子が、食品またはフレーバー材料を充填またはそれでコートした安全食品認定された（ＧＲＡＳ）非食品コア粒子を含むことを特徴とする前記１に記載の方法。
４．工程（ｃ）で添加された前記食品粒子が、食品またはフレーバー材料を充填またはそれでコートした食品粒子を含むことを特徴とする前記１に記載の方法。
５．工程（ｃ）で添加された前記食品粒子が、非食品ＧＲＡＳ材料を充填またはそれでコートした食品粒子を含むことを特徴とする前記１に記載の方法。
６．工程（ｃ）で添加された前記食品粒子が、フレーバーオイルのスプレー乾燥されたエマルジョンを含むことを特徴とする前記１に記載の方法。
７．工程（ｃ）で添加された前記食品粒子が、フレーバーオイルの押し出されたエマルジョンを含むことを特徴とする前記１に記載の方法。
８．前記液体カプセル化材料が、甘味料、食品フレーバーまたはエンハンサー、食用着色料、食用香料、固結防止剤、湿潤剤、抗菌剤、酸化防止剤、表面変性剤、水分バリア、貯蔵寿命延長剤、フレーバー保持剤、栄養サプリメント、炭水化物、プロテイン、脂質またはミネラルを含むことを特徴とする前記１に記載の方法。
９．工程（ａ）〜（ｃ）を少なくとも１回繰り返す工程をさらに含み、前記液体カプセル化材料が同一または異なることを特徴とする前記１に記載の方法。
１０．前記１〜９のいずれか一つに記載の方法により製造されたカプセル化食品粒子。
【手続補正書】
【提出日】平成18年1月13日(2006.1.13)
【手続補正１】
【補正対象書類名】特許請求の範囲
【補正対象項目名】全文
【補正方法】変更
【補正の内容】
【特許請求の範囲】
【請求項１】
第１基部を有する第１要素と、第１基部はそこから延びる第１突起部を有することと、
第２基部を有する第２要素と、第２基部はそこから延びる第２突起部を有することと、第２突起部はそこにリザーバを構成する多数の面を有することと、
第１要素及び第２要素は、第１突起部がリザーバ内に到達すると、離脱可能に連結できることとからなる外科用留め具。
【請求項２】
第１基部はほぼ円形である請求項１に記載の外科用留め具。
【請求項３】
第２基部はほぼ円形である請求項１に記載の外科用留め具。
【請求項４】
前記多数の面は、ほぼ筒状の面を構成する請求項１に記載の外科用留め具。
【請求項５】
第１突起部は、第１基部に対してほぼ直角に延びる請求項１に記載の外科用留め具。
【請求項６】
第２突起部は、第２基部に対してほぼ直角に延びる請求項１に記載の外科用留め具。
【請求項７】
前記多数の面は、貫通可能な材料からなる上面を有する請求項１に記載の外科用留め具。
【請求項８】
第１突起部は、上面を介して貫通するように構成される請求項７に記載の外科用留め具。
【請求項９】
第２突起部のリザーバは、治療薬を収容する請求項１に記載の外科用留め具。
【請求項１０】
前記治療薬は硬化薬を有する請求項９に記載の外科用留め具。
【請求項１１】
第２突起部は、第１要素と第２要素とが離脱可能に連結した後で、治療薬がリザーバから流出するように寸法が設定された少なくとも１つの孔を更に有する請求項１に記載の外科用留め具。
【請求項１２】
第１要素及び第２要素は、生体吸収性材料から加工される請求項１に記載の外科用留め具。
【請求項１３】
第１基部を有する第１要素と、第１基部はそこから延びる第１突起部を有することと、
第２基部を有する第２要素と、第２基部はそこから延びる第２突起部を有することと、第２突起部は、上面と、少なくとも１つの側面と、底面とを更に有し、これらの面はそこに治療薬を収容するリザーバを構成することと、
第２突起部は、治療薬がリザーバから流出するように寸法が設定された少なくとも１つの孔を更に有することと、
第１要素と第２要素とは、離脱可能に連結できることとからなる外科用留め具。
【請求項１４】
前記治療薬は硬化薬である請求項１３に記載の外科用留め具。
【請求項１５】
リザーバは、第１突起部を第２突起部に係合させることにより、治療薬を孔から流出させるように寸法が設定される請求項１３に記載の外科用留め具。
【手続補正書】
【提出日】平成18年5月18日(2006.5.18)
【手続補正１】
【補正対象書類名】特許請求の範囲
【補正対象項目名】全文
【補正方法】変更
【補正の内容】
【特許請求の範囲】
【請求項１】
核酸ベクターであって、
（ｉ）プロモーター；
（ｉｉ）ＨＥＲＶ−ＫファミリーのＨＭＬ−２サブグループのメンバーである内因性レトロウイルスに由来するポリペプチドをコードする配列であって、該配列は、該プロモーターと作動可能に連結されている、配列；および
（ｉｉｉ）選択マーカー；
を含む、ベクター。
【請求項２】
請求項１に記載のベクターであって、
（ｉｖ）複製起点；および
（ｖ）（ｉｉ）の下流にありかつ（ｉｉ）と作動可能に連結されている、転写ターミネーター；
をさらに含む、ベクター。
【請求項３】
請求項２に記載のベクターであって、（ｉ）および（ｖ）は、真核生物性であり、（ｉｉｉ）および（ｉｖ）は原核生物性である、ベクター。
【請求項４】
請求項１〜３のうちのいずれか１項に記載のベクターであって、前記ＨＭＬ−２は、ヒト第２２番染色体由来のＰＣＡＶである、ベクター。
【請求項５】
請求項１〜４のうちのいずれか１項に記載のベクターであって、前記プロモーターは、ヒトにおいてインビボで機能する、ベクター。
【請求項６】
請求項１〜５のうちのいずれか１項に記載のベクターであって、前記プロモーターは、ウイルスプロモーターである、ベクター。
【請求項７】
請求項６に記載のベクターであって、前記ウイルスプロモーターは、サイトメガロウイルス（ＣＭＶ）に由来する、ベクター。
【請求項８】
請求項１〜７のうちのいずれか１項に記載のベクターであって、前記プロモーターに加えて転写調節配列を含む、ベクター。
【請求項９】
請求項１〜８のうちのいずれか１項に記載のベクターであって、前記ＨＭＬ−２ポリペプチドは、ｇａｇポリペプチド、ｐｒｔポリペプチド、ｐｏｌポリペプチド、ｅｎｖポリペプチド、ｃＯＲＦポリペプチド、またはＰＣＡＰポリペプチドである、ベクター。
【請求項１０】
請求項９に記載のベクターであって、前記ＨＭＬ−２ポリペプチドは、
（ａ）配列番号１〜５０、６９〜７４、７８および７９のうちの１つ以上に対して少なくとも６５％同一性を有し、かつ／または
（ｂ）配列番号１〜５０、６９〜７４、７８および７９のうちの１つ以上に由来する少なくとも７アミノ酸のフラグメントを含む、
ベクター。
【請求項１１】
請求項１〜１０のうちのいずれか１項に記載のベクターであって、前記選択マーカーは、細菌において機能する、ベクター。
【請求項１２】
請求項１〜１１のうちのいずれか１項に記載のベクターであって、前記選択マーカーは、抗生物質耐性遺伝子である、ベクター。
【請求項１３】
請求項１〜１２のうちのいずれか１項に記載のベクターであって、前記ベクターは、プラスミドである、ベクター。
【請求項１４】
請求項１〜１３のうちのいずれか１項に記載のベクターであって、前記ベクターは、複製起点を含む、ベクター。
【請求項１５】
請求項１４に記載のベクターであって、前記複製起点は、原核生物において活性であるが真核生物においては活性ではない、ベクター。
【請求項１６】
請求項１〜１５のうちのいずれか１項に記載のベクターであって、前記ＨＭＬ−２コード配列の下流に真核生物転写ターミネーター配列をさらに含む、ベクター。
【請求項１７】
請求項１〜１６のうちのいずれか１項に記載のベクターであって、マルチクローニング部位をさらに含む、ベクター。
【請求項１８】
請求項１〜１７のうちのいずれか１項に記載のベクターであって、真核生物ポリペプチドをコードする第２配列の上流にＩＲＥＳをさらに含む、ベクター。
【請求項１９】
請求項１〜１８のうちのいずれか１項に記載のベクターを含む、薬学的組成物。
【請求項２０】
医薬として使用するための請求項１〜１８のうちのいずれか１項に記載のベクター。
【請求項２１】
前立腺癌、精巣癌、多発性硬化症、および／またはインスリン依存性糖尿病（ＩＤＤＭ）を処置するための医薬の製造における、請求項１〜１８のうちのいずれか１項に記載のベクターの使用。
【請求項２２】
免疫応答を惹起するための組成物であって、
請求項１〜１８のうちのいずれか１項に記載のベクター
を含む、組成物。
【請求項２３】
前立腺腫瘍を有する患者を処置するための、請求項１９に記載の薬学的組成物。
【請求項２４】
ＨＭＬ−２  ｇａｇポリペプチドを含む、ウイルス様粒子（ＶＬＰ）。
【請求項２５】
医薬として使用するための請求項２４に記載のＶＬＰ。
【請求項２６】
動物を免疫するための医薬の製造における、請求項２４に記載のＶＬＰの使用。
【請求項２７】
動物において免疫応答を惹起するための組成物であって、
請求項２４に記載のＶＬＰ
を含む、組成物。
【請求項２８】
前立腺腫瘍を有する患者を処置するための組成物であって、
請求項２４に記載のＶＬＰ
を含む、組成物。
【請求項２９】
患者において癌を診断するためのキットであって、
請求項２４に記載のＶＬＰおよび／または
請求項２４に記載のＶＬＰに対する抗体
を含む、キット。
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
工程：
a) 魚肉を中性プロテアーゼおよびアルカリ性プロテアーゼで加水分解し、そして
b) プロテアーゼを熱処理により不活性化する、
を含んでなる方法により製造された動物用飼料組成物。
【請求項２】
工程b) 後に魚肉加水分解物から油の大部分を除去する工程をさらに含んでなる、請求項1に記載の飼料組成物。
【請求項３】
前記動物が魚類である、請求項1に記載の飼料組成物。
【請求項４】
前記魚類がサケ、マス、ターボット（turbot）、シーバス（sea bass）、タラ、ポラック（pollack）、シーブリーム (see bream)、ナマズ、オヒョウ、ウナギ、コイから成る群から選択される、請求項3に記載の飼料組成物。
【請求項５】
前記動物がエビまたはウニである、請求項1に記載の飼料組成物。
【請求項６】
前記動物がブタまたはイノシシである、請求項1に記載の飼料組成物。
【請求項７】
前記中性プロテアーゼおよび/またはアルカリ性プロテアーゼがバシラス (Bacillus) に由来する、請求項1に記載の飼料組成物。
【請求項８】
前記中性プロテアーゼがバシラス・アミロリクファシエンス (Bacillus amyloliquefaciens) に由来する、請求項1に記載の飼料組成物。
【請求項９】
前記アルカリ性プロテアーゼがバシラス・リヘニフォルミス (Bacillus licheniformis) に由来する、請求項1に記載の飼料組成物。
【請求項１０】
前記魚肉が生である、請求項1に記載の飼料組成物。
【請求項１１】
前記魚肉が加水分解前に70℃以上の温度に暴露されていない、請求項1に記載の飼料組成物。
【請求項１２】
前記魚肉を10〜30%の加水分解度に加水分解する、請求項1に記載の飼料組成物。
【請求項１３】
前記魚肉を15〜20%の加水分解度に加水分解する、請求項1に記載の飼料組成物。
【請求項１４】
前記方法が工程b) 後に固形分を除去する工程をさらに含んでなる、請求項1に記載の飼料組成物。
【請求項１５】
前記固形分をプレスおよび/または分離器および/またはデカンター中で除去する、請求項14に記載の飼料組成物。
【請求項１６】
前記方法が工程b) 後に加水分解物を乾燥する工程をさらに含んでなる、請求項1に記載の飼料組成物。
【請求項１７】
前記の乾燥をドラム乾燥により実施する、請求項16に記載の飼料組成物。
【請求項１８】
工程：
a) 魚肉を中性プロテアーゼおよびアルカリ性プロテアーゼで加水分解し、そして
b) プロテアーゼを熱処理により不活性化する、
を含んでなる方法により製造された魚タンパク質加水分解物を含んでなる飼料組成物を動物に給餌する方法。
【請求項１９】
工程：
a) 魚肉を中性プロテアーゼおよびアルカリ性プロテアーゼで加水分解し、そして
b) プロテアーゼを熱処理により不活性化する、
を含んでなる飼料組成物の製造方法。
【手続補正書】
【提出日】平成18年8月3日(2006.8.3)
【手続補正１】
【補正対象書類名】明細書
【補正対象項目名】００１４
【補正方法】変更
【補正の内容】
【００１４】
知られている方法により、図１，２及び３で説明されるように、第一回転カルーセル２は、空のカプセルCを含んでいる上部ホッパー（知られているタイプで図示されていない）からカプセルＣをピックアップし、それから、カプセルＣは一つ一つスライドユニット３に配置され、各々の手段は、カプセルＣをある角度に向け且つガイドするための二つの套管（ブッシング）１５及び１７を備えている。各々のカプセルＣは、対応するカプセル本体１４からカプセル蓋１３を分離することにより開き、投与手段２１によって微小錠剤１２の分量をカプセル本体１４に充填し、カプセル蓋１３でカプセル本体１４を閉じて、そして、最後に、外部供給及び積み降ろしゾーンＳ（図１）で完成したカプセルＣをカプセル充填機械から放出する、カプセルＣから構成される連続する操作ステップで処理される。
【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
オリゴデンドロサイトおよびその前駆体のオステオポンチンへの暴露を低下させることからなるオリゴデンドロサイトの分化をモジュレートする方法。
【請求項２】
低下は、オステオポンチンを特異的に結合する抗体にオリゴデンドロサイトおよびその前駆体を暴露することによって得られる、請求項１記載の方法。
【請求項３】
低下は、オステオポンチン受容体を不活性化することによって得られる、請求項１記載の方法。
【請求項４】
受容体を、オステオポンチンアンタゴニストに暴露する、請求項３記載の方法。
【請求項５】
受容体を、該受容体に結合する抗体に暴露する、請求項３記載の方法。
【請求項６】
オリゴデンドロサイトまたはその前駆体上のオステオポンチンに対する受容体の活性をモジュレートすることからなるオリゴデンドロサイトの分化をモジュレートする方法。
【請求項７】
髄鞘再生の部位におけるオリゴデンドロサイトおよびその前駆細胞のオステオポンチンへの暴露を上昇させて該部位におけるオリゴデンドロサイト前駆体の数を増大させ、ついで該オリゴデンドロサイト前駆細胞のオステオポンチンへの暴露を低下させてオリゴデンドロサイトへの分化を増大させ、ここで該オリゴデンドロサイトが該髄鞘再生の部位における髄鞘再生を増大させることからなる、髄鞘再生が要求される部位におけるオリゴデンドロサイトの分化をモジュレートし、および髄鞘再生を誘導する方法。
【請求項８】
低下はオステオポンチンを特異的に結合する抗体の使用によって得られる、請求項７記載の方法。
【請求項９】
低下はオステオポンチン受容体を不活性化することによって得られる、請求項７記載の方法。
【請求項１０】
さらに、髄鞘再生が要求される部位から遠位の細胞をオステオポンチンに暴露することからなり、この場合、オステオポンチンは化学吸引性であり、該部位に応答性細胞を遊走させることを含む、請求項７記載の方法。
【請求項１１】
オステオポンチンは星状細胞によって分泌される、請求項１０記載の方法。
【請求項１２】
オステオポンチンはオステオポンチンアゴニストに暴露された細胞によって発現される、請求項１０記載の方法。
【請求項１３】
オステオポンチンはオステオポンチン受容体に結合する抗体に暴露された細胞によって発現される、請求項１０記載の方法。
【請求項１４】
髄鞘再生を要求する部位への細胞の遊走を誘導する分子を取得する方法であって、
オステオポンチン受容体を発現する細胞を候補分子に暴露し、
上記受容体に結合する候補分子を同定し、
オリゴデンドロサイト前駆細胞を同定された上記候補分子に暴露し、
上記前駆細胞の遊走を誘導する候補分子を同定すること
からなる方法。
【請求項１５】
遊走を誘導する分子は、オステオポンチンアゴニストまたは逆アゴニストである、請求項１４記載の方法。
【請求項１６】
オリゴデンドロサイトの脱分化を誘導するかまたはオリゴデンドロサイト前駆細胞の分化を防止する分子を得る方法であって、
オステオポンチン受容体を発現する細胞を候補分子に暴露し、
上記受容体に結合する候補分子を同定し、
オリゴデンドロサイト前駆細胞を同定された上記候補分子に暴露し、
上記前駆細胞の成熟オリゴデンドロサイトへの分化を防止する候補分子を同定することからなる方法。
【請求項１７】
オリゴデンドロサイトの脱分化を誘導するかまたはオリゴデンドロサイト前駆細胞の分化を防止する分子を得る方法であって、
オステオポンチン受容体を発現する細胞を候補分子に暴露し、
上記受容体に結合する候補分子を同定し、オリゴデンドロサイトを同定された上記候補分子に暴露し、そして
上記オリゴデンドロサイトの脱分化を誘導する候補分子を同定すること
からなる方法。
【手続補正書】
【提出日】平成18年3月22日(2006.3.22)
【手続補正１】
【補正対象書類名】特許請求の範囲
【補正対象項目名】請求項６
【補正方法】変更
【補正の内容】
【請求項６】
減圧器（Ｃ）が、メタノールからの除去によって得られたガス状の二酸化炭素を熱交換器（Ｅ）へ導入するための配管（１）と、メタノールを含む液体をシステムユニットの前に取り付けられている該吸収器へ導入するための配管とを備え、ただし、熱交換器（Ｅ）は、そこで加熱したメタノールを送るため、配管（２）を介して液体／気体分離器（Ｄ）と連結されていることを特徴とする、請求項２に記載のシステムユニット。
【手続補正２】
【補正対象書類名】特許請求の範囲
【補正対象項目名】請求項７
【補正方法】変更
【補正の内容】
【請求項７】
液体／気体分離器（Ｄ）が、ガス状二酸化炭素を放出するための配管（３）と、分離したメタノールを、システムユニットの後に取り付けられている該再生器に導入するためのもう１つの配管（４）とを備えていることを特徴とする、請求項３に記載のシステムユニット。
【手続補正書】
【提出日】平成18年3月14日(2006.3.14)
【手続補正１】
【補正対象書類名】特許請求の範囲
【補正対象項目名】請求項１
【補正方法】変更
【補正の内容】
【請求項１】
流れ媒体用の遮断アーマチュア（１）、特に両側の圧力供給のために形成されたスライダアーマチュア（２）であって、
流れ通路（６）とスライダチャンバ（１１）を形成するアーマチュアハウジング（３）と、
流れ通路（６）を遮断可能で、ソフトシールする、多部材で形成された遮断部材（２３）と、
スライダチャンバ（１１）を画成するハウジングネック突出部（１２）内のシール配置（１４）および／または軸受配置（１５）を貫通し、遮断部材（２３）と結合されたスピンドルナット（１９）とねじ係合を介して回転結合されるスライダスピンドル（１６）と、
少なくとも、流れ通路（６）の公称幅（９）よりもわずかに小さい外側寸法（２９）を有する、シール部材（３４）を備えた基体（２８）と、
を有するものにおいて、
ディスク状に形成された基体（２８）の両側の支持面（３２）に、その表面を越えて突出するリブ（３３）が、構造を形成し、かつ、互いに等しく形成された構造を有するシール部材（３４）と相補形状で添接するように配置されており、かつ、
シール部材（３４）が、基体（２８）に、シール部材（３４）の両側の端面（３９）上に配置された支持ディスク（４０）によって、孔（４２）内で支持ディスク（４０）、シール部材（３４）および基体（２８）を横切る固定手段（４１）を用いて、固定されている、
ことを特徴とする流れ媒体用の遮断アーマチュア。
【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
パレコキシブ成分を水溶解性のパレコキシブ塩の形態で含む、非経口的に送達可能な医薬組成物であって、前記パレコキシブ成分が、以下の：
（ａ）水成分、
（ｂ）パレコキシブの変換により形成するバルデコキシブを可溶化するために有効な非水性溶解剤成分であって、実質的にそのような変換に関して不活性である、前記非水性溶解剤成分、及び、
（ｃ）パレコキシブ遊離酸の沈殿を阻害するために有効な、パレコキシブ塩安定剤成分、
を含む液体溶媒中に溶解及び／又は可溶化された形態であり；ここで、前記非水性溶解剤成分及びパレコキシブ塩安定剤成分が同じであるか又は異なり；ここで、５５℃に保持された密閉容器中での１４日間の上記組成物の貯蔵後に、パレコキシブが、パレコキシブ遊離酸当量として表して、上記組成物中のパレコキシブ及びバルデコキシブの総量の少なくとも約９５％を構成する、前記医薬組成物。
【請求項２】
上記パレコキシブ塩がパレコキシブナトリウムである、請求項１に記載の組成物。
【請求項３】
上記パレコキシブ成分が、パレコキシブ遊離酸当量として表して、上記組成物の約１〜約４００mg/mlの量で存在する、請求項１又は２に記載の組成物。
【請求項４】
上記パレコキシブ成分が、パレコキシブ遊離酸当量として表して、上記組成物の約１０〜約５０mg/mlの量で存在する、請求項１又は２に記載の組成物。
【請求項５】
上記非水性溶解剤成分が、ポリエチレングリコール、エタノール及びジメチルアセトアミドからなる群から選ばれる１以上の溶解剤を含む、請求項１〜４のいずれか１項に記載の組成物。
【請求項６】
上記液体溶媒がポリエチレングリコールを含む、請求項１〜４のいずれか１項に記載の組成物。
【請求項７】
上記ポリエチレングリコールが、上記液体溶媒の約２０重量％〜約８０重量％の濃度である、請求項６に記載の組成物。
【請求項８】
上記ポリエチレングリコールが約４００〜約８００の平均分子量を有する、請求項６又は７に記載の組成物。
【請求項９】
上記パレコキシブ塩安定剤成分が、ｐH緩衝剤、抗酸化剤、及び上記液体溶媒の約５０重量％以上の濃度のポリエチレングリコールから成る群から選ばれる１以上の作用物質を含む、請求項１〜８のいずれか１項に記載の組成物。
【請求項１０】
上記パレコキシブ塩安定剤成分が、リン酸塩、２−アミノ−２−（ヒドロキシメチル）−１，３−プロパンジオール、アスコルビン酸塩及びマレイン酸塩緩衝剤からなる群から選ばれる１以上のｐH緩衝剤を含む、請求項１〜８のいずれか１項に記載の組成物。
【請求項１１】
上記パレコキシブ塩安定剤成分が、ブチル化ヒドロキシアニソール、アスコルビン酸塩及びメチオニンから成る群から選ばれる１以上の抗酸化剤を含む、請求項１〜８のいずれか１項に記載の組成物。
【請求項１２】
上記パレコキシブ塩安定剤成分が、上記液体溶媒の約５０重量％以上の濃度のポリエチレングリコールを含む、請求項１〜８のいずれか１項に記載の組成物。
【請求項１３】
液体溶媒を含む非経口的に送達可能な医薬組成物であって、ここで、上記液体溶媒が、パレコキシブ遊離酸当量で、上記組成物の約１０〜約５０mg/mlの量でその中に溶解及び／又は可溶化された水溶性のパレコキシブ塩を含み、ここで、上記液体溶媒が、以下の：
（ａ）水；及び
（ｂ）上記液体溶媒の約５５重量％〜約７５重量％の量の、約４００〜約８００の平均分子量を有する、ポリエチレングリコール、
を含む、上記医薬組成物。
【請求項１４】
上記パレコキシブ塩が、パレコキシブ遊離酸当量で表して、上記組成物の約４０mg/mlの量のパレコキシブナトリウムであり、そしてここで、上記液体溶媒が、約６００の平均分子量のポリエチレングリコールを上記液体溶媒の約６５重量％の量で含む、請求項１３に記載の組成物。
【請求項１５】
密閉容器中の請求項１に記載の組成物を含む、製造品。
【請求項１６】
上記容器が、上記組成物によって占有された充填容積及び酸素の制限された微小大気によって占有された上部空間容積を含む内部を有する、請求項１５に記載の製造品。
【請求項１７】
上記上部空間容積が、約５％以下の酸素圧を有する、請求項１６に記載の製造品。
【請求項１８】
上記パレコキシブ塩が、さらに希釈せずに非経口投与するのに好適な濃度で存在する、請求項１５に記載の製造品。
【請求項１９】
上記パレコキシブ塩が、１〜約３０単位用量に相当する量で存在する、請求項１５に記載の製造品。
【請求項２０】
上記パレコキシブ塩が単一の単位用量に相当する量で存在する、請求項１５に記載の製造品。
【請求項２１】
COX-2阻害剤による治療の必要性が示される状態又は障害の治療のための、請求項１〜１４のいずれか１項に記載の非経口送達可能な医薬組成物。
【手続補正書】
【提出日】平成18年7月4日(2006.7.4)
【手続補正１】
【補正対象書類名】明細書
【補正対象項目名】００１１
【補正方法】変更
【補正の内容】
【００１１】
薬理活性剤および修飾アミノ酸の両方を含む本発明の実施態様において、血小板凝集阻害活性は修飾アミノ酸の機能であることを理解すべきである。かかる血小板凝集活性は、薬理活性剤の機能ではない。
【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
患者におけるインターフェロンα治療に関連した精神病の症状を改善するための組成物であって、該患者における精神病の症状を改善するために有効な量のグルココルチコイドレセプターアンタゴニストを含み、ただし、該患者は、そうでなければ、グルココルチコイドレセプターアンタゴニストで処置する必要がなく、該組成物は、投与に適している、組成物。
【請求項２】
前記グルココルチコイドレセプターアンタゴニストが、ステロイド骨格を含み、該ステロイド骨格は、少なくとも１個のフェニル含有部分を該ステロイド骨格の１１−β位に有する、請求項１に記載の組成物。
【請求項３】
前記ステロイド骨格の１１−β位における前記フェニル含有部分が、ジメチルアミノフェニル部分である、請求項２に記載の組成物。
【請求項４】
前記グルココルチコイドレセプターアンタゴニストが、ミフェプリストンを含む、請求項３に記載の組成物。
【請求項５】
前記グルココルチコイドレセプターアンタゴニストが、１１−β−（４−ジメチル−アミノエトキシフェニル）−１７α−プロピニル−１７β−ヒドロキシ−４，９−エストラジエン−３−オン、および１７β−ヒドロキシ−１７α−１９−（４−メチル−フェニル）アンドロスタ−４，９（１１）−ジエン−３−オンからなる群より選択される、請求項３に記載の組成物。
【請求項６】
前記グルココルチコイドレセプターアンタゴニストが、４α（Ｓ）−ベンジル−２（Ｒ）−プロプ−１−イニル−１，２，３，４，４α，９，１０，１０ａ（Ｒ）−オクタヒドロ−フェナントレン−２，７−ジオールおよび４α（Ｓ）−ベンジル−２（Ｒ）−クロロエチニル−１，２，３，４，４α，９，１０，１０ａ（Ｒ）−オクタヒドロ−フェナントレン−２，７−ジオールからなる群より選択される、請求項１に記載の組成物。
【請求項７】
前記グルココルチコイドレセプターアンタゴニストが、（１１β，１７β）−１１−（１，３−ベンゾジオキソール−５−イル）−１７−ヒドロキシ−１７−（１−プロピニル）エストラ−４，９−ジエン−３−オンである、請求項１に記載の組成物。
【請求項８】
前記グルココルチコイドレセプターアンタゴニストを含む組成物が、インターフェロン−αと併用して前記患者に投与されるのに適している、請求項１に記載の組成物。
【請求項９】
前記グルココルチコイドレセプターアンタゴニストを含む組成物が、インターフェロン−α治療の過程全体を通して前記患者に投与されるのに適している、請求項８に記載の組成物。
【請求項１０】
前記グルココルチコイドレセプターアンタゴニストを含む組成物が、インターフェロン−αおよび第２治療剤と併用して前記患者に投与されるのに適している、請求項８に記載の組成物。
【請求項１１】
前記第２治療剤が、抗ウイルス剤である、請求項１０に記載の組成物。
【請求項１２】
前記抗ウイルス剤が、リババリンである、請求項１１に記載の組成物。
【請求項１３】
前記グルココルチコイドレセプターアンタゴニストを含む組成物が、１日あたり体重１キログラムあたり約０．５ｍｇ〜約２５ｍｇの１日量で投与されるのに適している、請求項１に記載の組成物。
【請求項１４】
前記グルココルチコイドレセプターアンタゴニストを含む組成物が、１日あたり体重１キログラムあたり約１ｍｇ〜約４ｍｇの１日量で投与されるのに適している、請求項１３に記載の組成物。
【請求項１５】
前記投与形態が、経口投与、経皮適用、噴霧状懸濁物、およびエアゾールスプレーからなる群より選択される、請求項１に記載の組成物。
【請求項１６】
前記患者が、Ｃ型肝炎ウイルス、Ｂ型肝炎ウイルス、およびＤ型肝炎ウイルスからなる群より選択されるウイルスによって引き起こされるウイルス感染に罹患している、請求項１に記載の組成物。
【請求項１７】
前記ウイルス感染が、急性または慢性である、請求項１６に記載の組成物。
【請求項１８】
前記患者が、慢性骨髄性白血病、ＨＩＶ、ヒトＴ細胞リンパ球向性ウイルスまたは癌に罹患している、請求項１に記載の組成物。
【請求項１９】
前記患者が、薬物乱用歴を有する、請求項１に記載の組成物。
【請求項２０】
Ｃ型肝炎ウイルスに感染したヒトを処置するためのキットであって、該キットは、以下：
（ｉ）インターフェロン−α、
（ｉｉ）特異的グルココルチコイドレセプターアンタゴニスト；ならびに
（ｉｉｉ）Ｃ型肝炎感染に罹患している患者への、該グルココルチコイドレセプターアンタゴニストおよびインターフェロン−αの投与に関する、適応症、投薬量およびスケジュールを教示する指示書
を備える、キット。
【請求項２１】
前記キットが、第２治療剤をさらに備える、請求項２０に記載のキット。
【請求項２２】
前記グルココルチコイドレセプターアンタゴニストがミフェプリストンである、請求項２０に記載のキット。
【手続補正書】
【提出日】平成18年6月20日(2006.6.20)
【手続補正１】
【補正対象書類名】特許請求の範囲
【補正対象項目名】全文
【補正方法】変更
【補正の内容】
【特許請求の範囲】
【請求項１】
（ａ）腸溶コーティングを被したプロトンポンプ阻害剤を含む微粒子及び
（ｂ）６．０未満のｐＨと前記微粒子を懸濁させるのに十分な粘度とを有する液体懸濁ビヒクル
を含む組成物。
【請求項２】
微粒子が１００〜９００μｍの大きさである請求の範囲第１項に記載の組成物。
【請求項３】
組成物が５００ｃＰ以上の粘度を有する請求の範囲第１項に記載の組成物。
【請求項４】
活性成分がランソプラゾールである請求の範囲第３項に記載の組成物。
【請求項５】
腸溶性プロトンポンプ阻害剤の微粒子及び６．０未満のｐＨと前記微粒子を懸濁させるのに十分な粘度とを有する液体懸濁ビヒクルを含む組成物を患者に投与することを含む胃腸疾患患者の治療方法。
【請求項６】
ａ）腸溶コーティングを被したプロトンポンプ阻害剤を含む微粒子を収容した第１容器及びｂ）液体を収容した第２容器を含み、前記第１または第２容器が更に酸性賦形剤を含み、第１及び第２容器の内容物を混合して生ずる液体が前記微粒子を懸濁させるのに十分な粘度を有するように前記第１または第２容器が更に増粘剤を含むキット。
【請求項７】
プロトンポンプ阻害剤がランソプラゾールである請求の範囲第６項に記載のキット。
【請求項８】
液体の粘度が５００ｃＰ以上である請求の範囲第７項に記載のキット。
【請求項９】
微粒子が１００〜９００μｍの大きさである請求の範囲第６項に記載のキット。
【手続補正書】
【提出日】平成18年6月26日(2006.6.26)
【手続補正１】
【補正対象書類名】明細書
【補正対象項目名】０１１５
【補正方法】変更
【補正の内容】
【０１１５】
実施例１２:  
ａ) 4−シクロプロピル−3−グアニジノカルボニル−1−(キノリン−4−イル)−1H−ピロールジ塩酸塩 
【化１５】
2005535668.tif 000001
ナトリウムメトキシド1.19ｇ(22mmol)をアルゴン雰囲気下で約20℃においてメタノール25cm3に加えた。全て溶解した後にグアニジン塩酸塩2.2ｇ(23mmol)を加えた。約20℃で0.5時間攪拌した後に反応混合物を減圧(2.7kPa)下で濃縮乾固して残留物を得、それを1,2−ジメトキシエタン50cm3に懸濁し、次いで再び濃縮乾固した。残留物をアルゴン雰囲気下で約20℃において、テトラヒドロフラン100cm3とジクロロメタン100cm3との混合物中に懸濁し、次いでそれに、クロロホルム25cm3に溶解した3−クロロカルボニル− 4−シクロプロピル−1−(キノリン−4−イル)−1H−ピロール1.12ｇ(3.78mmol)を加えた。約20℃で17時間攪拌した後に反応混合物を減圧(2.7kPa)下で濃縮乾固して残留物を得、それを水100cm3中で摩砕した。ろ過後にガム状物を得、それをメタノール50mlに溶解した。その溶液を部分濃縮して５〜10mlの容量にし、次いでシリカゲル上でクロマトグラフィー[溶離剤：クロロホルム／メタノール(75／25 容量基準)]により精製した。目的の生成物を含有する各フラクションを減圧下で濃縮乾固した後に残留物をメタノール20cm3に溶解し、ジオキサン中の塩酸６Ｎ溶液２cm3を加えた。得られた溶液を減圧(2.7kPa)下で濃縮乾固し、次いで残留物をジクロロメタンとジエチルエーテルとの混合物中で摩砕し、ろ過して4−シ
クロプロピル−3−グアニジノカルボニル−1−(キノリン−4−イル)−1H−ピロール0.77ｇを185℃で融解する黄色固形物の形態で得た。質量スペクトル(EI): m／e 319 (M+・) (基準ピーク), m／e 260, m／e 231。
【手続補正２】
【補正対象書類名】明細書
【補正対象項目名】０１１８
【補正方法】変更
【補正の内容】
【０１１８】
ｄ) 4−シクロプロピル−3−メトキシカルボニル−1−(キノリン−4−イル)−1H−ピロール
鉱油ゼリー中75質量％の水素化ナトリウム0.208ｇ(6.5mmol)をアルゴン雰囲気下で約20℃において、ジメチルホルムアミド20cm3 に溶解した4−シクロプロピル−3−メトキシカルボニル−1H−ピロール1.07ｇ(6.5mmol)の溶液に加えた。反応混合物を約40℃で0.3時間攪拌した後に4−クロロキノリン1.07ｇ(6.5mmol)およびジメチルホルムアミド10cm3 を加えた。約120℃で６時間攪拌後に反応混合物を塩水200cm3 中に注ぎ、次いで酢酸エチル100cm3そして次に酢酸エチル50cm3で抽出した。有機抽出物を合一し、次いで減圧(2.7kPa)下で濃縮乾固した。その油状残留物をシリカゲルクロマトグラフィー[溶離剤：ジクロロメタン／酢酸エチル(75／25 容量基準)]により精製した。目的の生成物を含有する各フラクションを減圧(2.7kPa)下で濃縮乾固した後に4−シクロプロピル−3−メトキシカルボニル−1−(キノリン−4−イル)−1H−ピロール1.2ｇを濃厚な澄んだ油状物の形態で得た。これは次の工程で直接使用した。
【手続補正書】
【提出日】平成18年6月28日(2006.6.28)
【手続補正１】
【補正対象書類名】特許請求の範囲
【補正対象項目名】全文
【補正方法】変更
【補正の内容】
【特許請求の範囲】
【請求項１】
創傷または線維性障害の部位に局所的に適用される、創傷治癒中の瘢痕形成を減少させるか、または線維性コンディションの治療における線維症を減少させるための医薬の製造におけるフューリンインヒビターの使用。
【請求項２】
インヒビターが、セリンプロテアーゼインヒビターである請求項１に記載の使用。
【請求項３】
インヒビターが、脂溶性である前記請求項のいずれかに記載の使用。
【請求項４】
インヒビターが、少なくとも１つのコンバターゼ酵素切断部位を模倣するペプチド部分を有するペプチジルクロロアルキルケトンである請求項２に記載の使用。
【請求項５】
インヒビターが、デカノイル−ＲＶＫＲ−ｃｍｋである請求項２に記載の使用。
【請求項６】
インヒビターが、水溶性である請求項１または請求項２に記載の使用。
【請求項７】
インヒビターが、ヘキサアルギニンである請求項６に記載の使用。
【請求項８】
創傷を治療するか、または瘢痕形成を阻害または予防するための前記請求項のいずれかに記載の使用。
【請求項９】
眼、神経組織または腸の瘢痕形成を阻害または予防するための請求項８に記載の使用。
【請求項１０】
皮膚の瘢痕形成を阻害または予防するための請求項８に記載の使用。
【請求項１１】
火傷後の瘢痕形成を阻害または予防するための請求項８に記載の使用。
【請求項１２】
線維性コンディションの治療における線維症を減少させるための請求項１〜７のいずれか１つに記載の使用。
【請求項１３】
線維性コンディションが、糸球体腎炎、肝硬変、線維症、癒着または再狭窄から選ばれる線維性障害である請求項１２に記載の使用。
【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
変異型ＲＥＴキナーゼ関連疾患の処置用医薬の製造のための、式
【化１】
2005535675.tif 000001
で示される４−（４−メチルピペラジン−１−イルメチル）−Ｎ−［４−メチル−３−（４−ピリジン−３−イル）ピリミジン−２−イルアミノ）フェニル］−ベンズアミドまたは医薬上許容されるその塩の使用。
【請求項２】
変異型ＲＥＴキナーゼ関連疾患が甲状腺癌、褐色細胞腫、粘膜神経腫、副甲状腺機能亢進症、副甲状腺過形成、ヒルシュスプルング病または皮膚苔蘚アミロイドーシスを含む、請求項１に記載の使用。
【請求項３】
甲状腺癌が甲状腺髄様カルシノーマおよび甲状腺乳頭様カルシノーマから選択される、請求項１または２に記載の使用。
【請求項４】
甲状腺髄様カルシノーマが遺伝性多発性内分泌腫瘍２型である、請求項３に記載の使用。
【請求項５】
遺伝性多発性内分泌腫瘍２型がＭＥＮ２Ａ、ＭＥＮ２ＢまたはＦＭＴＣである、請求項４に記載の使用。
【請求項６】
４−（４−メチルピペラジン−１−イルメチル）−Ｎ−［４−メチル−３−（４−ピリジン−３−イル）ピリミジン−２−イルアミノ）フェニル］−ベンズアミドがメシル酸塩の形態かつβ結晶形態である、請求項１〜５のいずれかに記載の使用。
【手続補正２】
【補正対象書類名】明細書
【補正対象項目名】００１３
【補正方法】変更
【補正の内容】
【００１３】
それゆえ、本発明は、変異型ＲＥＴキナーゼ関連疾患、とりわけＲＥＴキナーゼ中に少なくとも１つの変異を有する甲状腺癌を患う温血動物の処置方法であって、かかる処置を必要としている動物に、治療有効量の化合物Ｉまたは医薬上許容されるその塩を投与することを含んでなる方法に関する。
【手続補正３】
【補正対象書類名】明細書
【補正対象項目名】００１８
【補正方法】変更
【補正の内容】
【００１８】
本明細書において使用される「変異型ＲＥＴキナーゼ関連疾患」なる語は、以下の疾患：
＊ 甲状腺癌
＊ 乳癌
＊ ＲＥＴオンコジーンの活性化に関係する他の新生物、たとえば副腎髄質の腫瘍（褐色細胞腫（ＰＣ））および粘膜神経腫
＊ 副甲状腺機能亢進症（ＨＰＴ）および副甲状腺過形成、
＊ ヒルシュスプルング病
＊ 皮膚苔蘚アミロイドーシス（Cutaneous Lichen amyloidosis）
を含むが、これらに限定されるわけではない。
【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
骨吸収障害を処置するための、ＶＥＧＦＲ−１に対する抗体を含む医薬であって、前記抗体がＶＥＧＦＲ−１のシグナル伝達を阻害できる医薬。
【請求項２】
前記骨吸収障害の処置が骨吸収の抑制である、請求項１に記載の医薬。
【請求項３】
前記骨吸収が骨粗鬆症である、請求項１または２に記載の医薬。
【請求項４】
Ｆｌｔ−１に対する前記抗体がモノクローナル抗体ＭＦ−１またはそのヒト化型である、請求項１〜３のいずれか１項に記載の医薬。
【手続補正書】
【提出日】平成17年11月22日(2005.11.22)
【手続補正１】
【補正対象書類名】特許請求の範囲
【補正対象項目名】全文
【補正方法】変更
【補正の内容】
【特許請求の範囲】
【請求項１】
インターフェロンβおよびインターロイキン-2レセプターアンタゴニストを含む治療的に有効な組み合わせを包含する、被検体における自己免疫疾患を治療するための薬学的組成物。
【請求項２】
治療的に有効な組み合わせが、少なくとも1種のインターフェロンβを含有する薬学的組成物および少なくとも1種のインターロイキン-2レセプターアンタゴニストを含有する薬学的組成物を含む、請求項1に記載の薬学的組成物。
【請求項３】
インターフェロンβがインターフェロンβ 1aを含む、請求項2に記載の薬学的組成物。
【請求項４】
インターフェロンβがインターフェロンβ 1bを含む、請求項2に記載の薬学的組成物。
【請求項５】
インターフェロンβがインターフェロンβ 1aおよびインターフェロンβ 1bの組み合わせを含む、請求項2に記載の薬学的組成物。
【請求項６】
インターロイキン-2レセプターアンタゴニストが抗Tacである、請求項2に記載の薬学的組成物。
【請求項７】
自己免疫疾患が多発性硬化症である、請求項2に記載の薬学的組成物。
【請求項８】
インターフェロンβが毎週投与され、インターロイキン-2レセプターアンタゴニストが2週間の間隔週で投与され次いで毎月投与される、請求項7に記載の薬学的組成物。
【請求項９】
インターフェロンβがBetaseronであり、インターロイキン-2レセプターアンタゴニストが抗Tacである、請求項8に記載の薬学的組成物。
【請求項１０】
インターフェロンβが隔日で投与され、インターロイキン-2レセプターアンタゴニストが2週間の間隔週で投与され次いで毎月投与される、請求項7に記載の薬学的組成物。
【請求項１１】
インターフェロンβがAvonexまたはRebifであり、インターロイキン-2レセプターアンタゴニストが抗Tacである、請求項10に記載の薬学的組成物。
【請求項１２】
インターロイキン-2レセプターアンタゴニストが隔週で投与される、請求項7に記載の薬学的組成物。
【請求項１３】
多発性硬化症が再発性-弛張性または二次進行性である、請求項7に記載の薬学的組成物。
【請求項１４】
インターフェロンβがインターフェロンβ 1a、インターフェロンβ 1b、またはこれらの組み合わせを含み、インターロイキン-2レセプターアンタゴニストが抗Tacである、請求項7に記載の薬学的組成物。
【請求項１５】
インターフェロンβ 1aがAvonexまたはRebifであり、インターフェロンβ 1bがBetaseronであり、かつ抗Tacがダクリズマブ（daclizumab）である、請求項14に記載の薬学的組成物。
【請求項１６】
被験体が以前にインターフェロンβ単独を用いて治療され、インターフェロンβ単独を用いる治療に対する応答に失敗していることを特徴とする、請求項7に記載の薬学的組成物。
【請求項１７】
ダクリズマブが1〜2mg/kgの用量で投与される、請求項15に記載の薬学的組成物。
【請求項１８】
ダクリズマブがZenapaxである、請求項17に記載の薬学的組成物。
【請求項１９】
インターフェロンβが皮下投与される、請求項2に記載の薬学的組成物。
【請求項２０】
治療的に有効な用量の抗Tacを含有する、被験体における多発性硬化症を治療するための薬学的組成物であって、該被験体が以前にインターフェロンβ単独を用いて治療され、インターフェロンβ単独を用いる治療に対する応答に失敗していることを特徴とする薬学的組成物。
【手続補正書】
【提出日】平成18年3月16日(2006.3.16)
【手続補正１】
【補正対象書類名】明細書
【補正対象項目名】００１５
【補正方法】変更
【補正の内容】
【００１５】
好ましい態様において、治療的に活性な化合物および／または栄養素の経皮投与のための組成物は、有機硫黄化合物をさらに含む。
有機硫黄化合物は、好ましくは、非油性エマルジョンに対して２〜３０％（ｗ／ｖ）の量で、より好ましくは４〜２５％（ｗ／ｖ）の量で存在する。
【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
テトラフルオロエチレンをヘキサフルオロプロピレンに熱分解する方法であって、機械的に支持された（ａ）ニッケルまたは（ｂ）８重量％までのクロムを含有するニッケル合金でライニングを施された反応ゾーンにおいて、少なくとも７００℃の温度で前記熱分解を行う工程を含み、前記反応ゾーンのライニングにより前記反応ゾーンを画定する表面が形成されることを特徴とする方法。
【手続補正２】
【補正対象書類名】明細書
【補正対象項目名】００２８
【補正方法】変更
【補正の内容】
【００２８】
（２）反応器への供給物としてオクタフルオロシクロブタン０．３５重量部／ＴＦＥ重量部を反応器に供給したこと以外を除いて、Ｂの熱分解反応を繰り返し、それから８２５℃での４か月使用後、目視調査により判断したとき反応器のＮｉライニングの腐食を示す形跡はなかった。腐食がないことは、超音波厚さ測定により確認され、ライニングの厚さが変化していないことが明らかになった。ライニングの溶接は、色素吸収検査を行い、亀裂が存在するかどうか調べた。溶接部に亀裂がないことがわかった。
以下に、本発明の好ましい態様を示す。
１．  テトラフルオロエチレンをヘキサフルオロプロピレンに熱分解する方法であって、機械的に支持された（ａ）ニッケルまたは（ｂ）８重量％までのクロムを含有するニッケル合金でライニングを施された反応ゾーンにおいて、少なくとも７００℃の温度で前記熱分解を行う工程を含み、前記反応ゾーンのライニングにより前記反応ゾーンを画定する表面が形成されることを特徴とする方法。
２．  前記熱分解を水素の不在下で行うことを特徴とする１．に記載の方法。
３．  前記熱分解を７００℃〜９００℃の温度で行うことを特徴とする１．に記載の方法。
４．  前記温度が７７５℃〜８５０℃であることを特徴とする３．に記載の方法。
５．  前記温度が８２５℃〜８４５℃であることを特徴とする３．に記載の方法。
６．  前記反応ゾーンが螺旋形状であることを特徴とする１．に記載の方法。
７．  前記反応ゾーンの容積が少なくとも０．０４ｍ３であることを特徴とする１．に記載の方法。
８．  前記反応ゾーンのライニングがニッケルであることを特徴とする１．に記載の方法。
９．  前記温度が８３０℃〜８４５℃であることを特徴とする１．に記載の方法。
１０．  前記ニッケル（ａ）が０．０２重量％以下の炭素を含有することを特徴とする１．に記載の方法。
１１．  前記熱分解は、オクタフルオロシクロブタンと前記テトラフルオロエチレンとを共に前記反応ゾーンに供給して行われることを特徴とする１．に記載の方法。